Podtech/llm-jp-corpus-v4-ja_patent huggingface dataset:
(57)【要約】【課題】長尺用紙に印刷加工を施しさらにミシン加工またはスジ押し加工を施し段差を設けながら折り込むことで、段差によって設けられたズレた部分をインデックスとして利用することができる段差折りインデックス印刷物を提供する。【解決手段】一枚の長尺用紙に印刷、ミシン又はスジ押し加工を施し段差に折り　込んでいくことで頁枚を設け、各頁枚につくられた段差によるズレた部分をインデックスとして利用することで印刷物の内容が表紙又は裏表紙から把握できるとともに段差折りを利用したインデンクスから必要頁を容易に開くことができるよう構成される。【選択図】　　図１
0003097067.tif 000002
【実用新案登録請求の範囲】
【請求項１】
表面あるいは両面に印刷加工を施した任意の長尺用紙をミシン加工あるいはスジ押し加工の折り返し部を設け、この折り返し部により山折り谷折りを交互に繰り返して各折り返しにより折り返し間に任意のページを構成し、３ページ目以降の奇数ページ折り返し部が折り返し時頁端からはみだすようになっており、そのはみ出し部にページインデックスが設けられている段差折りインデックス印刷物。
【請求項２】
長尺用紙開放側変部付近の折り返し時に他のページと重ならない位置にファイル穴を設けたことを特徴とする請求項１記載の段差折りインデックス印刷物。
【考案の詳細な説明】
【０００１】
【考案の属する技術分野】
本考案は、長尺用紙に印刷加工を施しさらにミシン加工またはスジ押し加工を施し段差を設けながら折り込むことでページ構成を持たせ、段差によって設けられたズレた部分をインデックスとして利用することができる段差折り印刷物に関するもである。
【０００２】
【従来の技術】
従来、製本された印刷物においては製本の中に目次項目が設けられており、インデックスにより印刷物の表紙から印刷物の内容を容易に確認できる印刷物はなかった。
【０００３】
【考案が解決しようとする課題】
これには次のような欠点があった。
（イ）電気製品などの使用説明書などにおいては、製本された中に目次項目が設けられており必要内容を容易に確認できる使用説明書はなかった。
（ロ）使用説明書などの表紙に目次内容が印刷されているものがあるが、表紙に印刷された目次から内容頁を容易に開くことができるのもはなかった。
（ハ）簡易的な小誌本や説明書等における印刷製本は、各頁枚に断裁をおこない製本しなければならない為に製造コストが高くなる欠点がみられた。
（二）簡易的な小誌本や説明書等における印刷製本は、各頁枚に断裁をおこない製本しなければならない為にステップラー針又は糊止めよる製本加工をおこなわれなければならない欠点がみられた。
本発明は、これらの欠点を解決するためになされたものである。
【０００４】
【課題を解決するための手段】
一枚の長尺用紙に印刷、ミシン又はスジ押し加工を施し段差に折り込んでいくことで頁枚を設け、各頁枚につくられた段差によるズレた部分をインデックスとして　利用することで印刷物の内容が表紙又は裏表紙から把握できるとともに段差折りを利用したインデンクスから必要頁を容易に開くことができるよう構成される。
【０００５】
【考案の実施の形態】
以下、本考案の実施例について説明する。
本考案は図１に示すように第一工程として一枚の長尺用紙の表面又は両面に、印刷をおこなう。
第二工程に第一工程において印刷された長尺用紙の各頁枚に設定した位置に折りミシン又はスジ押し（２）を加工する。
各頁枚に設定した位置に折りミシンを使用する場合には、頁切れを防止するためにミシン目はページ端に係らないよう設ける。
第三工程に段差に折り込まれる各頁枚に設定した位置の折りミシン又はスジ押し（２）加工に従い図２、図３に示すように各頁が段差になるように折り込まれる。
図４は表面から折り込まれた状態で、ミシン又はスジ押し（２）に従って各頁が段差になるように折り込まれた間隔により見出し部（３）が設けられ、この見出し部（３）をインデックスとして利用する。
見出し部（３）は最低幅４ミリから構成される。
図５はインデックスより各ページを開いた状態の本発明の使用図である。
以上のような加工工程からなる段差折りインデックス印刷物を使用するときはミシン又はスジ押し（２）に従って各頁が段差になるように折り込まれた間隔により見出し部（３）が設けられていることで、図５に示すように折り込まれている印刷内容が表紙又は裏表紙からの確認ができインデックスから開きたい頁の内容をすぐに開くことができる。
以上のことから、使用説明書や広告、パンフレットに印刷活用することができる。
図６は応用実施例で、表紙又は裏表紙のいずれ、又は表裏双方の紙端位置の折り込み時に他のページに重ならない位置に、必要に応じた任意の個数のファイル穴を設けることでファイル保管をすることができる。
本考案は、以上の構成よりなる。
【０００６】
【考案の効果】
本考案において、一枚の長尺用紙を段差に折り込みインデックスと頁を設けることで頁枚数を必要としない小誌製本、使用説明書、パンフレット等においての印刷物の加工が容易になり製造コストが大幅に削減される。
また本考案の仕様により図５に示すように各頁枚の段差の折り込みによりインデックスが設けられ、表紙から内容の確認と必要内容頁の引き出しが容易にできる。図６の応用実施例で示すように、表紙又は裏表紙のいずれ、又は表裏双方の紙端位置に必要に応じた任意の個数のファイル穴を設けることで、ファイル保管をすることができる。
また本考案においては一枚の長尺用紙にて頁枚数を構成するため、従来の頁を綴じるための製本に用いていていたステップラー針を使用しないため環境保護につながる。
本考案は、以上のような効果を実現できるものである。
【図面の簡単な説明】
【図１】本考案の加工行程図である。
【図２】本考案の加工行程図である。
【図３】本考案の加工行程図である。
【図４】本考案実施の形態の図である。
【図５】本考案実施の使用の図である。
【図６】本考案の応用例の図である。
【符号の説明】
１　長尺用紙印刷物
２　折りミシン
３　見出し部
４　ファイル穴
【図１】
0003097067.tif 000003
【図２】
0003097067.tif 000004
【図３】
0003097067.tif 000005
【図４】
0003097067.tif 000006
【図５】
0003097067.tif 000007
【図６】
0003097067.tif 000008
(57)【要約】【課題】演奏操作の強弱を実現しながらも音量を最小限にとどめることができるようにすることにある。【解決手段】バイオリン、ビオラ等で、発生音に電気的な処理を行わない所謂アコースティックな弦楽器１にあって、ボディ２を、表板４と裏板５とを外周板６で連設して内部に中空７を形成し、更にフィンガーボード３を挟んで、表板４と裏板５とを切り欠いて通孔８を、ボディ２を厚さ方向に沿って貫通する形態で開設し、通孔８の開口縁に内周板９を連設し、ボディ２の中空７を塞いで通常の操作で音量を小さくさせる。【選択図】　　　　図１
0003097070.tif 000002
【実用新案登録請求の範囲】
【請求項１】
ボディ（２）に、厚さ方向に沿って通孔（８）を貫通設したことを特徴とする弦楽器。
【考案の詳細な説明】
【０００１】
【考案の属する技術分野】
本考案は、弦楽器に関するものである。
【０００２】
【従来の技術】
バイオリン、ビオラ、チェロ等の弦楽器は、弓で擦られ、指で弾かれた弦の音を空洞となったボディ内で共鳴させて、音量が上がるように構成されている。即ち、ボディが響胴になっているのである。そして、ボディの表板にはｆ字形状の一対のサウンドホールが開設されてあり、音響的にはこのサウンドホールによって表板の中央部の振動が高まり、弦の音を大きな音量で良好に響かせるようにしているのである。
【０００３】
【考案が解決しようとする課題】
処が、単に練習だけをする場合、音量が大き過ぎると他人には極めて迷惑なことである。弦を軽く擦るなり弾くなりすれば音量を下げることができるが、周知のように音楽の表現技術の一つとしてこの意識的な強弱は必須であり、常時音量を下げることに気を使って弱音ばかり奏していたのでは、練習にならない。
【０００４】
一方、この伝統的なアコースティック楽器とは別に、発生音に電気的な処理を行うバイオリン等も開発されているが、ここでのボディは所謂ソリッドタイプであって板状であり、電気を通さない限り発生音が生じないため、同様に練習としては不適当である。
【０００５】
本考案は、上述した従来の不満点を解消し要求に応えるべく考案された弦楽器であって、演奏操作の強弱を実現しながらも音量を最小限にとどめることができるようにすることを目的とする。
【０００６】
【課題を解決するための手段】
上述した従来の課題を解決する本考案は、ボディに、厚さ方向に沿って通孔を貫通設したことを特徴とする構成である。
【０００７】
【考案の実施の形態】
本考案にかかる弦楽器１は、例えばバイオリン、ビオラ、チェロ、更にはギター等であり、図示実施例ではバイオリンで示し、中空なボディ２にフィンガーボード３を連設する。
【０００８】
ボディ２は、表板４と裏板５とを外周板６で連設し、内部に中空７を形成するものであり、フィンガーボード３は、表板４の中央に連設されてボディ２から突出する。
【０００９】
そしてボディ２には、フィンガーボード３を挟む形態で一対の通孔８が開設されている。この通孔８は、表板４と裏板５とを切り欠く形態でボディ２を厚さ方向に沿って貫通するもので、通孔８の開口縁には内周板９が連設され、ボディ２の中空７が塞がれる。
【００１０】
この構成では、ボディ２を含む全体の大きさは、例えばバイオリンの通常の大きさにすることができるが、ボディ２の中空７の容積は、通孔８の形成によって全体の大きさよりすると極めて小さいものになっている。
【００１１】
従って本考案の弦楽器１では、演奏のために構えた時の演奏の操作感覚、即ち弓を当てる位置、その角度、顎を挟む姿勢などは通常のものと変わらず、それでいてボディ２の中空７の容積は極めて小さく、しかもｆ字形状のサウンドホールも開設していないので、演奏した時の音量を最小限にとどめることができる。
【００１２】
しかしながら、容積は小さいものの中空７自体は形成されているので、演奏によって演奏者はその音を聞くことができ、強く弾けばその小さな音量の範囲内で大きな音を、弱く弾けば小さな音を、奏することができる。
【００１３】
尚、本考案の弦楽器１は演奏音を小さくすることができるのであるが、マイクを埋設する等して（図示省略）電気的な処理を施すことにより、通常の音量を発することもでき、単に練習用としてのみにとどまるものではない。
【００１４】
【考案の効果】
以上説明したように本考案の弦楽器は、構成が簡単でありながら、殊更に弱く演奏しなくても音量を可能な限り小さくすることができ、しかも演奏者自身は明瞭にその発生音を聴き取ることができ、他人に迷惑をかけることなく通常の操作で音の強弱をつけながら演奏することができる効果を奏する。
【図面の簡単な説明】
【図１】本考案の弦楽器の斜視図である。
【図２】正面図である。
【図３】図２のＡ−Ａ線に於けるボディのみの拡大端面図である。
【図４】図２のＢ−Ｂ線に於けるボディのみの拡大端面図である。
【符号の説明】
１；弦楽器、２；ボディ、３；フィンガーボード、４；表板、５；裏板、６；外周板、７；中空、８；通孔、９；内周板。
【図１】
0003097070.tif 000003
【図２】
0003097070.tif 000004
【図３】
0003097070.tif 000005
【図４】
0003097070.tif 000006
(57)【要約】　　　（修正有）【課題】視界ゼロの恐怖は完全になくなり、安心運転ができると同時に昼夜の別なく明瞭・透明な視界が得られ、夜間の且つ降雨中での走行においても、スイスイと快適に走行できる自動車のハレーション防止板を提供する。【解決手段】コアになる板材には穴あき構造の塩化ビニール板を、黒い紙には黒ツヤ紙を使用。穴あき構造の塩ビ板には、竹ヒゴを数本挿入して補強し、又、上下両面にクラフト紙を張り、更に、上側には黒布を張り、その上に黒ツヤ紙を貼る。相当の強度が出ている。周囲はビニールテープで保護し、下面には化粧紙を貼った。工程の一部と、製品とを写真で示した。又、ポロンスポンジを加工して設置面の傾斜に対応せしめ、他端をマジックテープ（登録商標）で固定する。【選択図】なし【実用新案登録請求の範囲】
【請求項１】
ハレーション防止板を新規に考案、製品化したので実用新案登録を請求します。
【考案の詳細な説明】
自動車のフロントガラスに発生する「ハレーション現象」を防ぐ目的で、インストルメントパネル又はフロントパネルの上に設置する特殊な板を考案・製作した。名称は目的を直接的に表現する「ハレーション防止板」とした。完全なる新製品であります。
従来は、ハレーション防止に関する製品はもとより、これを防止する思想さえもなく、ハレーションに対する対応は運転者の技両にのみまかされていたが、安全走行が第１の車の走行を考えると自動車メーカーの怠まんであります。
考案者・登録請求出願人はプロの運転手ですが終日・終夜の車の運転時にはいつもハレーション現象に因る交通事故の危険性を強く感じ、又、視界を悪くすることに不快を感じていましたので、本品を考案したものです。試作し、種々テストを重さねましたが、ここに、実用新案として「ハレーション防止板」の登録を出願するものです。この「ハレーション防止板」に依り、視界は常に良好に保持され、明瞭透明な視界が、いずれも昼夜を分たず得られます。
このハレーション防止板の構造は▲１▼コアとなる板材に塩化ビニール板を使用し、▲２▼これに補強目的で紙をノリで貼り、▲３▼同じく布を貼り、▲４▼表側にツヤ紙（黒色）を貼り、▲５▼裏側に化粧紙を貼り、最後に▲６▼、フチ取り（フチを保護）したもの。厚さは約０．７ｃｍ、巾１２０〜１４０ｃｍ（普通乗用車の場合）位になります。巾１２０ｃｍ〜１４０ｃｍは大きすぎますので、実際には２分割しております。又、本来のハレーション防止板は、これをインストルメントパネル上に固定するマジックテープ、及び、高さを適合させるべくポロンスポンジを付属します。
【図面の簡単な説明】
【図１】本案の平面図と側面図
【図２】本案の取りつけ側面図
【図１】
0003097017.tif 000002
【図２】
0003097017.tif 000003
【手続補正書】
【提出日】平成15年3月6日(2003.3.6)
【手続補正１】
【補正対象書類名】明細書
【補正対象項目名】全文
【補正方法】変更
【補正の内容】
【考案の詳細な説明】
【実用新案登録請求の範囲】
【請求項１】薄い板▲１▼に補強工作を施し、これの上側に黒い紙▲２▼を張り、裏側に化粧紙を張って、これを自動車のインストルメントパネル上に置いて、ハレーションの発生を防ぐ板。
【考案の詳細な説明】
従来より、自動車のハレーションを防止する製品はありません。ハレーションに対する対応は運転者の技量にのみまかされていました。
本考案のハレーションを防止する板の構造は▲１▼コアとなる板材に穴あきの塩化ビニール板を使用し、▲２▼これに補強目的で紙をノリで貼り、▲３▼同じく布を張り、▲４▼表側に黒色のツヤ紙を張り、▲５▼裏側に化粧紙を貼り、ビニールテープで周囲の縁を保護したものである。なお、コア材には竹ヒゴを数本挿入して補強してある。厚さは約０．７ｃｍ位、巾は自動車のサイズ等に依り異なるが、使用中の完成品は普通乗用車用で約１４０ｃｍ位になりますが、使用上の利便等により２分割して製作した。又、本案では表紙に黒ツヤ紙を使用したが、普通の黒紙でも或る程度可である。
この、ハレーションを防止する板は、これをインストルメントパネル上に固定するマジックテープ、ほぼ水平になるように高さを適合させるポロンスポンジを付属します。又、空気抜きのために、小さな孔をあけてあります。
【図面の簡単な説明】
【図１】平面図
【図２】側面図
【図３】前面からの水平図面
【図４】取付図
【符号の説明】
符号▲１▼は、コア材の穴あき塩化ビニール板
符号▲４▼は、黒ツヤ紙
【手続補正２】
【補正対象書類名】図面
【補正対象項目名】全図
【補正方法】変更
【補正の内容】
【図１】
0003097017.tif 000004
【図２】
0003097017.tif 000005
【図３】
0003097017.tif 000006
【図４】
0003097017.tif 000007
(57)【要約】【課題】ファイリング作業をする際、背表紙のラベルの大きさを何種類か使う必要がしばしば発生する。文書や帳簿のタックインデックスに於いても、大きさを変化させて強調したり、分類を判り易くする必要が起こる。従来数種類のタックインデックスやラベルテープを、机上に用意して使い分けていた。一つが、数種類のニーズ応えられたらと、日頃思っていた。【解決手段】課題を解決するため、テープ状に連続したラベルやインデックスをミシン目で切り取って使えるようにした。数種類の変化を付けられる様に、基本的な長さを短めに設定、短いものから長いもの迄、数種類のニーズに応えられる様に設定した。【選択図】図３
0003097020.tif 000002
【実用新案登録請求の範囲】
【請求項１】
利用者が、好みの幅に切断して使用出来るテープ状のラベルテープ及びタックインデックスである。通常の二分の一から数分の一長のラベルテープ、又はタックインデックスをテープ状に連続して作り、テープ状の台紙に貼り付け、希望の幅に切断出来る様に台紙ごとミシン目を付けた物である。
【考案の詳細な説明】
【０００１】
【考案の属する技術分野】
この考案は、ラベルテープ又はインデックスの幅を好みで変えて使う時、沢山の種類を用意する事無く、数種類の要求に応えられる様にした物である。従来の二分の一から四分の一位の幅を最小幅とするインデックスを連続的に作り、ミシン目で好みの幅に切断して使用出来るようにしてある。又、どの様な幅の変化にも対応出来る様、テープ状に作られている。
【０００２】
【従来の技術】
従来のラベルテープやタックインデックスは、一枚の台紙に同じ大きさの物を、数枚から十数枚ずつ貼り付けた形で販売されている。この形態だと、インデックスの大きさを変えて用いたい時、その都度大きさの異なる物を買い求めねばならない。何種類かを求めると、大変な量になってしまう事になる。
【０００３】
【考案が解決しようとする課題】
ラベルテープやタックインデックスは、それぞれ貼り付ける物の大きさに依り、又強調したい度合い等によって、大きさを変化させたいと言うニーズがある。これが一種類で、数種類のニーズに対応出来れば大変好都合である。
【０００４】
【課題を解決するための手段】
従来の物に比べ、非常に小さな長さを基本長とする、始端及び終端の明確でないラベルテープやタックインデックスを作成する。此により、どこで切り離しても目立って問題とならない。その基本長のどこででも切れるように全てにミシン目をいれておく。これを、連続的なテープ状に作り、ロールの形にする。
【０００５】
【考案の実施の形態】
本考案の実施の形態を説明すると、
（１）従来のラベルテープ（ａ）やタックインデックスク（ｂ）は、はがき大の台紙に数枚から十数枚が貼られている。
（２）それ等の、全長の二分の一から必要に応じて数分の一を基本長とする物をテープ状（ｃ），（ｄ）に連続して作成する。これを、テープ状の台紙（Ｐ）はりつけ、それぞれ基本長の位置に、切り離しようミシン目（Ｒ）を台紙ごと付ける。
（３）ユーザーは、希望の長さにミシン目で切り離し使用する。ラベルテープ（ａ）は（ｅ）のように、従来形の二分の一、四分の三、一倍半長等、タックインデックス（ｂ）は、（ｆ）のように二分の一、一倍半長等、それぞれに任意長の選択が出来る。
【０００６】
【考案の効果】
ラベルテープやタックインデックスが、一種類で数種類のニーズに応えられるので、沢山の種類を買い求めなくて済むので、たいへん経済的である。
【図面の簡単な説明】
【図１】従来、一般に製品化されているラベルテープ（ａ）、及びタックインデックス（ｂ）である
【図２】基本長を四分の一にしたラベルテープ（ｃ）と、基本長を二分の一にしたタックインデックス（ｄ）▲１▼である。（ｄ）▲２▼は従来品をそのままテープ状　　に繋いだ物の例である。それぞれテープ状台紙（ｐ）に貼られる。
【図３】完成図である
【符号の説明】
（ａ）、　　従来品ラベルテープ　　　（ｂ）、　　従来品タックインデックス
（ｃ）、　（ａ）の、基本長が四分の一長のテープラベル
（ｄ）、　テープ状インデックスで、▲１▼は、二分の一基本長の物、▲２▼は従来品（ｂ）をテープ状にした物。
（Ｐ）、　テープ状台紙　　　　　　（Ｒ）、　切り離し用ミシン目
（ｅ）、　二分の一長、四分の三長、一倍半長のラベルテープの例。
（ｆ）、　タックインデックスの二分の一長、一倍半長の例。
【図１】
0003097020.tif 000003
【図２】
0003097020.tif 000004
【図３】
0003097020.tif 000005
【手続補正書】
【提出日】平成15年5月15日(2003.5.15)
【手続補正２】
【補正対象書類名】明細書
【補正対象項目名】実用新案登録請求の範囲
【補正方法】変更
【補正の内容】
【実用新案登録請求の範囲】
【請求項１】
利用者が好みの長さに切断して使用するため、
（１）、タックインデックスの基本長を非常に短く設定したものを、連続的に連結作成してテープにする。
（２）、前記のテープには、基本長のどの位置からでも切り離せるように、ミシン目を各基本長毎にいれておく。
以上の構成から成る、テープ状に連続したタックインデックス。
【手続補正３】
【補正対象書類名】明細書
【補正対象項目名】０００５
【補正方法】変更
【補正の内容】
【０００５】
【考案の実施の形態】
本考案の実施の形態を説明すると、
（１）、タックインデックスク　図ロ）は、葉書大の台紙に数枚から十数枚が貼られて製品化されている。それ等のタックインデックスの、基本長を非常に短く設定したものを、連続的に連結作成し、テープ状図ニ）にする。
（２）、前出のテープには、各基本長毎に、切り離し用ミシン目（Ｒ）を付ける。
（３）、利用者は、希望する長さのミシン目で切り離して、基本長の一倍長、二倍長、三倍長と自由な長さで使用する事が出来る。
以上の様に、長さを変えて使用出来る様に考案してある。
(57)【要約】　　　（修正有）【課題】釘やネジでは長年経過すると抜ける可能性があるので既設材と新設材をしっかり繋ぎ、固定させる。【解決手段】まず穴の空いたリングに中空アンカーを挿入し、止水パッキンを取りつける。次に、リングの上に別のリングを接着し、さらにもう１枚リング（穴の小さい）を接着し最後にナットを接着する。【効果】中空アンカーとナットを合体させたものを作ることによって、既設材と新設材を長年に渡り固定させることが可能となった。【選択図】　　　図１
0003097012.tif 000002
【実用新案登録請求の範囲】
【請求項１】
中空アンカーとナットを合体させたものである。
各種部材を組み合わせたことに特長があります。
【考案の詳細な説明】
【０００１】
【考案の属する技術分野】
本考案は既設材（ｔ＝０．２ｍｍ〜１０ｍｍ）と新設材を繋ぎ、固定させることにあります。
【０００２】
【従来の技術】
従来は新設材の上から既設材に釘もしくはネジを打ち込んでいる。
【０００３】
【考案が解決しようとする課題】
解決しようとする問題点は釘やネジでは長年経過すると抜ける可能性がある。
【０００４】
【課題を解決しようとする手段】
本考案は中空アンカーとナットを合体させたものを作り、中空アンカーは既設材に取付け（中空アンカーの脚の部分は閉じているので、既設材に穴を空け、その穴に中空アンカーの脚部を挿入し、ナットの穴から細い棒状のもので中空アンカーの頭部を押すと脚部が水平に開き、既設材が固定されることになる）
ナットにボルトを捻じ込み、予め穴を空けた新設材にボルトを挿入し新設材の上部に出たボルトに別のナットを取り付ける。
よって、既設材と新設材が長年に渡ってしっかり固定することになる。
【０００５】
【考案の実施の形態】
止水パッキンを挟み込んだ中空アンカーの頭部に穴の空いたリングを三枚取付け、その上にナットを接着したものである。
【０００６】
【実施例】
まず穴の空いたリングに中空アンカーを挿入し、止水パッキンを取りつける。
次に、リングの上に別のリングを接着し、さらにもう１枚リング（穴の小さい）を接着し最後にナットを接着する。
【０００７】
【考案の効果】
本考案により既設材と新設材がしっかり固定されることになり、半永久的に既設材と新設材は分離することがなくなる。
既設材の厚みは０．２ｍｍ〜１０ｍｍの範囲であるが新設材の厚みはボルトの長さにより調節することが可能である。
【図面の簡単な説明】
【図１】中空アンカー・止水パッキング・リング・ナットを接着、固定した断面図である。
【図１】
0003097012.tif 000003
【手続補正書】
【提出日】平成15年4月16日(2003.4.16)
【手続補正１】
【補正対象書類名】明細書
【補正対象項目名】実用新案登録請求の範囲
【補正方法】変更
【補正の内容】
【実用新案登録請求の範囲】
【請求項１】
止水パッキングを取りつけた中空アンカーの頭部に穴の空いたリングを三枚取り付け、その上にナットを接着した中空アンカー付きナット。
(57)【要約】　　　（修正有）【課題】スクーターで走行中、交差点などで一時停止をする場合に、足を着地することも無くブレーキに合わせて、センタースタンドを立てさせる作動用ペダルを踏むだけで車両を静止させ、そのまま発進可能な状態まで待って、ペダルを離しながら発進操作をするだけて発進行することが出来るスクーターの一時停止のための作動用ペダル付きセンタースタンドを提供するものである。【解決手段】スクーターの運行中に一時停止をする場合、足を接地させず作動用ペダル１の操作で、これに連接したセンタースタンド２が車体格納部から引き出され、その先端に装着した接地体４が接地して停止した車体を支え、発進するときは作動用ペダル１をもとに戻して発進操作をするだけで可能となるもので、スクーターの一時停止用の作動用ペダルでセンタースタンド２を立てることで、解決するものとした。【選択図】　図１
0003097014.tif 000002
【実用新案登録請求の範囲】
【請求項１】
スクーターの一時停止に、センタースタンド用ペダルに連動する連結具をセンタースタンドに付け、ペダルを踏めばセンタースタンドが接地した状態になり、ライダーは足を接地する事なく乗車したままの状態で再び発進するまで待ち、発進に際してはスロットルを開きながらペダルを離せば、センタースタンドはバネで格納されて容易に発進することが出来ることを特徴としたスクーターの一時停止用作動ペダル付きセンタースタンド。
【考案の詳細な説明】
【０００１】
【考案の属する技術分野】
本考案は、スクーター等で一時停止するとき、センタースタンドを引き出すための作動ペダルと、これに連動するセンタースタンドの構造に関するものである。
【０００２】
【従来の技術】
従来、スクーター等は走行中に信号待ちなどで一時停止をする場合には、足を接地して待つ構造であった。
【０００３】
【考案が解決しようとする課題】
上記のように従来のスクータータイプの二輪車は、短時間の停車をする場合でも必然的に足を接地して停止するが、本考案はこの時、足を接地させずに乗車姿勢のままで停止状態を保持するという、課題を解決しようとするものである。
【０００４】
【課題を解決するための手段】
本考案はスクーター等のセンタースタンドと、その作動用ペダルを連結具で連動するように連結し、これによって停止するときは、作動用ペダルを操作すれば連結具が作動してセンタースタンドを接地させ、センタースタンドの接地部には、スタンドの接地性を良くするために橇形の接地体を設け、その接地面によって安定良く車体の重量を支えることで解決の手段とし、さらに駐車時のセンタースタンドの使用をやり易く、かつ確実なスタンドとして使用出来るものとした。
【０００５】
【考案の効果】
本考案は上記のように構造も簡単で、取り扱いも容易、更に取り付けも簡単で、又通常走行時には車体内に畳み込んで収納されており、これによって通常の走行や操作には全く関係なく、信号などで一時停止をするときに作動用ペダルを操作すればセンタースタンドが着地して車体を支えるので、ライダーはそのままペダルを踏み続けているだけで、改めて発進するまで足を着地することも無く、操作も容易であり雨天などの場合に、多大の便益を提供するものである。
【０００６】
【実施例】
本考案を添付図面によってその実施例を示せば、スクーターの作動用ペダル１の作動を、センタースタンド２に連動する連結具３を作り、作動用ペダルの踏み込み操作によって、センタースタンド２の先端に取り付けた接地体４が接地するようにすると、作動用ペダル１の踏み込みをゆるめない限り、センタースタンドは車体を支え続けることとなるもので、５はセンタースタンドの引き上げ用バネ、接地体４は接地体取り付け軸６に装着した巻バネで常に接地面に押圧されるようにした。　なお図中の輪郭線はスクーターの車体である。
【図面の簡単な説明】
【図１】本考案の収納状態を示す側面図である。
【図２】本考案の作動状況を示す拡大側面図である。
【符号の説明】
１　　　　作動用ペダル
２　　　　センタースタンド
３　　　　連結具
４　　　　接地体
５　　　　引き上げ用バネ
６　　　　接地体取り付け軸
７　　　　接地体用巻バネ
【図１】
0003097014.tif 000003
【図２】
0003097014.tif 000004
【手続補正書】
【提出日】平成15年4月21日(2003.4.21)
【手続補正１】
【補正対象書類名】明細書
【補正対象項目名】実用新案登録請求の範囲
【補正方法】変更
【補正の内容】
【実用新案登録請求の範囲】
【請求項１】
自動二輪車のブレーキペダル用ロッドに連動する連結具をセンタースタンドに取り付け、ブレーキを踏めば車体下部に収納されたセンタースタンドが引き起こされて接地し、そのセンタースタンドの先端部につけられた接地用の橇が同軸バネで車体をそのまま保持するので、ライダーはブレーキペダルを踏んだままで発車可能な状況を待ち、発車可能となればブレーキペダルを離せば、センタースタンドはもとの位置に収納されるので、そのまま発進操作をすれば容易に発車することが出来ることを特徴とする自動二輪車の一時停止用センタースタンド。
(57)【要約】【課題】日本人形を飾る時に用いる台座に関するものである。【解決手段】日本人形の台座を唐木材で形成したものである。【効果】台座あるいは台座を構成する各パーツが、温度や湿度の変化により伸縮することもないので、経年変化による歪みが発生することもなく、堅固となり、各パーツ部分の接合箇所にゆるみが生じることもなく、当然、立体的な台座が分解することもなく、丈夫であり、耐久性に優れている。又、接合箇所が、釘打ちされている場合でも、釘が抜け落ちることはなく、丈夫である。さらに、従来の台座のように、経年変化により変色したり、かびが生じたり、虫に食われたりすることもない。【選択図】　図１
0003097019.tif 000002
【実用新案登録請求の範囲】
【請求項１】
日本人形において、
前記日本人形は、女性及び男性の日本人形であり、この日本人形を載置するための台座を、それぞれ唐木材で形成したこと
を特徴とする日本人形。
【考案の詳細な説明】
【０００１】
【考案の属する技術分野】
この考案は、女性の日本人形及び武者人形等の男性の日本人形に関するもので、特に、日本人形を飾る時に用いる台座に関するものである。
【０００２】
【従来の技術】
日本人形としては、衣装着人形や、木目込み人形、市松人形等各種のタイプのものがあり、又、男子の日本人形としては、武者人形、桃太郎人形、金太郎人形等各種のものがあり、いずれの日本人形も、台座に載置あるいは固定して飾られている。この台座は、載置される日本人形を安定的に、且つ、よりよく引き立たせるために、１枚板で形成されたものや、あるいは立体的に形成されたもの等、各種の構造のものがある。
【０００３】
いずれの構造の台座も雑木で形成されている。そして、立体的な台座の場合には、各パーツ部分の接合箇所は、釘打ちあるいは接着剤などにより接合され、さらに、これらの台座の表面には塗装が施されている。
【０００４】
【考案が解決しようとする課題】
このように、日本人形は、台座（図示せず）に載置あるいは固定して飾るが、１枚板の台座の場合には、雑木で形成したものであるため、長期間保存する場合、湿気その他環境の変化により、台座全体が伸縮する。そのため、表面の塗装が剥がれたり、ひびが入るという問題がある。さらに、経年変化により変色したり、かびが生じたり、虫に食われたり等の問題もある。
【０００５】
又、立体的な形状に形成されている台座の場合には、湿気や温度の変動により、又、経年変化による歪みが原因で、台座を構成する各部品の接合箇所にゆるみが発生したり、分解する等の問題もある。その上、従来のものは、経年変化により見るからに古くさくなり、見場が悪くなる等の問題もある。
【０００６】
その上、日本人形はかなりの重量があるが、立台に立てた状態で飾るために、従来の雑木で形成された立台では、重い日本人形を支持するには、非常に不安定であり、振動により日本人形が転倒したり、又、転倒により日本人形が破損する等の問題がある。
【０００７】
【課題を解決するための手段】
請求項１に係わる考案は、男性及び女性の日本人形であり、この日本人形を載置するための台座を、唐木材で形成したものである。
【０００８】
【考案の実施の形態】
【実施例】
この考案の実施例を、図１に基づいて説明する。
女性の日本人形や男性の武者人形等の日本人形３０は、各種の形状をした台座３１に載置あるいは固定して通常室内に飾られている。
【０００９】
図１は、一枚板で形成されている台座３１に載置された日本人形３０の斜視図である。この実施例では、この台座３１が一枚板の唐木材で形成されており、表面は、無垢のままに、あるいは、一色塗装にあるいは上絵が描かれた塗装処理がなされている。そして、唐木材は、黒檀、紫檀、鉄刀木（たがやさん）、シャム柿、屋久杉、桑、欅、花梨、メープル、ウェンジ、チーク、パイン等の銘木で、最高級の木材である。
【００１０】
なお、台座３１が立体的な形状に形成されている場合には、この台座３１を構成する各パーツは、同様にすべて唐木材で形成されており、これら台座を構成する各パーツ部分の接合箇所は、釘打ちあるいは接着剤などで接合されている。
【００１１】
【考案の効果】
請求項１に係わる考案は、この日本人形を安置するための台座を、唐木材で形成したので、台座あるいは台座を構成する各パーツが、温度や湿度の変化により伸縮することもないので、経年変化による歪みが発生することもなく、堅固となり、各パーツ部分の接合箇所にゆるみが生じることもなく、当然、立体的な台座が分解することもなく、丈夫であり、耐久性に優れている。又、接合箇所が、釘打ちされている場合でも、釘が抜け落ちることはなく、丈夫である。
【００１２】
さらに、従来の台座のように、経年変化により変色したり、かびが生じたり、虫に食われたりすることもない。
【００１３】
その上、互いの接合箇所が堅固であるとともに、重量があるので重い日本人形を立てた状態で充分安定的に保持することが出来るとともに、振動等により倒れることもない。又、ケースに収納した場合でも、振動等により日本人形が台座とともにケース内で動くこともなく安定性がある。その上、従来のように、経年変化による外見の劣化もない等の効果がある。さらに、販売する際、日本人形としての商品価値が高くなるとともに、高級感が得られる。
【図面の簡単な説明】
【図１】この考案の実施例を示すもので、日本人形の斜視図である。
【符号の説明】
３０　　　　　　　日本人形
３１　　　　　　　台座
【図１】
0003097019.tif 000003
【手続補正書】
【提出日】平成15年3月14日(2003.3.14)
【手続補正２】
【補正対象書類名】明細書
【補正対象項目名】実用新案登録請求の範囲
【補正方法】変更
【補正の内容】
【実用新案登録請求の範囲】
【請求項１】
日本人形の台座において、
前記日本人形は、女性及び男性の日本人形であり、この日本人形を載置するための板状に形成されたあるいは立体的な形状に形成された台座を、それぞれ唐木材で形成したこと
を特徴とする日本人形の台座。
【手続補正３】
【補正対象書類名】明細書
【補正対象項目名】０００７
【補正方法】変更
【補正の内容】
【０００７】
【課題を解決するための手段】
請求項１に係わる考案は、男性及び女性の日本人形であり、この日本人形を載置するための板状に形成されたあるいは立体的な形状に形成された台座を、唐木材で形成したものである。
(57)【要約】［課題］　本考案は帯電している静電気を外部に放電できるようにする。［解決手段］　本考案は２つの異なった金属、金、アルミニウムを重ねあわせブレスレットの中心に置きこれを外部の金属と接触して放電させるようにした。【選択図】　図１
0003097016.tif 000002
【実用新案登録請求の範囲】
【請求項１】
２つの異なった種類の金属を使って接触電位差を利用したブレスレット
【考案の詳細な説明】
【０００１】
【考案の属する技術分野】
本考案はブレスレットの中心部分に除電装置を取り付けた装身具に関するものである。
【０００２】
【従来の技術】
装身具等においてブレスレットは装飾を目的としているため使用する材料は金属の単体又は金属とパール貴石等の天然素材との組合わせになるものに限られていた。
【０００３】
【考案が解決しょうとする課題】
クーロンの法則により生じた静電気の帯電現象を他の金属と接触した時に起こる放電ショックからの解放。
【０００４】
【課題を解決するための手段】
上記目的を達成するために接触電位差の現象を利用して帯電体側に高い電位を有する金４．５８Ｖを置きその上に低い電位を有するアルミニウム３．４７Ｖを重ねあわせアルミニウムの部分を他の金属と接触させて放電する。
【０００５】
【考案の実施の形態】
ブレスレットの土台になる金の部分を凹状にしてその上に乗せるアルミニウムを半球状に加工したものをその部分に接着剤を塗って押入して固定する。
【０００６】
【実施例】
以下添付図面に従って一実施例を説明する。１は形状に誤差を少なくするためにプレスで加工したものを用いる。２はデザイン展開を容易にするため鋳造方法を用いる。３はサイズ調整を容易にするために伸縮性のあるゴム繊維を用いる。
【０００７】
【考案の効果】
上記のブレスレットを手首につけることにより帯電している静電気を静電誘導の現象でブレスレットに帯電させる。ブレスレットを他の金属に接触放電することでこの時に起こる放電ショックから受ける不快感を解消させる。
【図面の簡単な説明】
【図１】本考案のブレスレットの断面図である。
【図２】ブレスレットの中心部分の平面図である
【符号の説明】
１　アルミニウム
２　金
３　取付リング
【図１】
0003097016.tif 000003
【図２】
0003097016.tif 000004
【手続補正書】
【提出日】平成15年5月20日(2003.5.20)
【手続補正１】
【補正対象書類名】明細書
【補正対象項目名】実用新案登録請求の範囲
【補正方法】変更
【補正の内容】
【実用新案登録請求の範囲】
【請求項１】
腕に接触する側に円盤型の金２を置きその上に半球状にしたアルミニウムを接着して重ね合わせ接触電位差を利用したブレスレット
(57)【要約】　　　（修正有）【課題】暗い遠距離の場所や対象物を近距離から広範囲にわたり暗闇を望遠鏡で高画質な映像を映し出す事を可能にした望遠鏡付きＣＣＤカメラを提供することにある。【解決手段】望遠鏡付きＣＣＤカメラは望遠鏡の接眼部の中心点９と暗い所でも映し出す事の出来るＣＣＤカメラのレンズの中心点１０を結合器を使い隙間なく結合させる事で望遠鏡の望遠倍率と暗い所でも映し出す事の出来るＣＣＤカメラの性能を使い、近距離から広範囲にわたり暗闇を望遠鏡で高画質な映像を映し出す事を可能になるように構成したものである。【選択図】図１
0003097018.tif 000002
【実用新案登録請求の範囲】
【請求項１】
遠くを見る事の出来る望遠鏡の接眼部の中心点と暗い所でも映し出す事の出来るＣＣＤカメラのレンズの中心点とを結合器を使い隙間なく結合させる事で、近距離から広範囲にわたり暗闇を望遠鏡で映像として映し出す事が出来る事を可能にした望遠鏡＋ＣＣＤカメラ。
【考案の詳細な説明】
〔産業上の利用分野〕
本考案は、望遠鏡と暗い所でも見ることの出来るＣＣＤカメラの結合により、今まで見る事の出来なかった夜間の遠距離の暗い場所や立体物を高画質で映し出す昼夜兼用可能な望遠鏡カメラに関する。
〔従来の技術〕
一般的に、暗闇を撮影するＣＣＤカメラは赤外線照射を使い５ｍ〜１０ｍ範囲の対象物を観察する構造になっている。遠距離を観察する事には限界があった、また望遠鏡は肉眼で主に観察する構造になっており夜間の暗い場所を観察する事は出来ない構造になっている。中には昼間、望遠鏡とデジタルカメラを結合して撮影出来る構造の物しかなかった。またビデオカメラの夜間の撮影はズーム倍率にも限界があり画質の乱れや明るさが少ないため高画質な映像が見る事が出来なかった。
〔考案が解決しようとする課題〕
上記構造のため、従来の望遠鏡やＣＣＤカメラでは望遠鏡で暗闇を観察するにはかなりの光源が必要であり、また赤外線ＣＣＤカメラは遠距離が観察する事が容易ではない、そこで暗い遠距離の場所や対象物を近距離から広範囲にわたり暗闇を望遠鏡で高画質な映像を映し出す事を可能にした望遠鏡＋ＣＣＤカメラを提供することにある。
〔課題を解決するための手段〕
上記目的を達成するため、本考案における望遠鏡＋ＣＣＤカメラは望遠鏡の接眼部の中心点と暗い所でも映し出す事の出来るＣＣＤカメラのレンズの中心点とを結合器を使い隙間なく結合させる事で望遠鏡の望遠倍率と暗い所でも映し出す事の出来るＣＣＤカメラの性能を使い、近距離から広範囲にわたり暗闇を望遠鏡で高画質な映像を映し出す事を可能になるように構成したものである。
〔実施例〕
本考案の実施例を説明します。望遠鏡＋ＣＣＤカメラは、望遠鏡の接眼部の中心点と暗い所でも映し出す事の出来るＣＣＤカメラのレンズの中心点とを結合器を使い隙間なく結合してあり、ＣＣＤカメラのコードが電源と映像コードの二本からなり電源は１２Ｖ１Ａ未満のものを使用し映像コードは一般のテレビ及びビデオデッキ、ビデオカメラなどに接続可能でテレビやモニター専用テレビ、ビデオカメラなどで観賞もでき肉眼・双眼鏡・ＣＣＤカメラ・ビデオカメラなどで観察が容易でない暗い遠距離の場所や対象物を近距離から広範囲にわたり暗闇を望遠鏡で高画質な映像を映し出す事が出来ることで観察可能である。
〔考案の効果〕
本考案は上述のとおり構成されているので、本考案の望遠鏡＋ＣＣＤカメラは近距離から広範囲において０．０００２Ｌｕｘからの光源からの撮影が可能で産業や一般及び日本国の分野でも幅広く活用でき、例えば漁業の養殖の管理、外国からの密入国の管理、金融関係のキャッシングボックスの管理、田畑の動物からの被害の管理、野生動物の観察など、今まで出来なかった遠距離での暗闇での撮影が可能になる事で犯罪防止や一般でも多目的に使用でき極めて利用価値がある。
【図面の簡単な説明】
【図１】本考案の実施例の望遠鏡＋ＣＣＤカメラの側面図
【図２】望遠鏡本体の側面図
【図３】ＣＣＤカメラと望遠鏡を隙間なく結合する為の結合器の側面図
【符号の説明】
１・・・望遠鏡の中心点、２・・・望遠鏡本体、３・・・望遠鏡の接眼部のレンズ部分、４・・・ＣＣＤカメラのレンズ部分、５・・・ＣＣＤカメラ本体、６・・・映像コード、７・・・電源コード、８・・・結合器本体、９・・・望遠鏡の接眼部の中心点、１０・・・ＣＣＤカメラのレンズの中心点。
【図１】
0003097018.tif 000003
【図２】
0003097018.tif 000004
【図３】
0003097018.tif 000005
【手続補正書】
【提出日】平成15年5月9日(2003.5.9)
【手続補正１】
【補正対象書類名】明細書
【補正対象項目名】考案の名称
【補正方法】追加
【補正の内容】
【手続補正２】
【補正対象書類名】明細書
【補正対象項目名】実用新案登録請求の範囲
【補正方法】変更
【補正の内容】
【実用新案登録請求の範囲】
【請求項１】
遠くを見る事の出来る望遠鏡の接眼部の中心点と暗い所でも映し出す事の出来るＣＣＤカメラのレンズの中心点とを結合器を使い隙間なく結合させる事で、近距離から広範囲にわたり暗闇を望遠鏡で映像として映し出す事が出来る事を可能にした望遠鏡付きＣＣＤカメラ。
(57)【要約】【課題】本考案は、マスクを衛生的に、又、簡単に出し入れし、保管、携帯できるものである。【解決の手段】湿気を排出できる布（主に不織物製の生地）をマスク用のケースに使うことで、ケース内の湿気は外部へ出て行き、外からの埃等の侵入がないので衛生的にマスクを保管することができる。又、プラスチック製の開閉板により片手で開閉ができる為、開け閉めが容易で使い易い。【選択図】　　　　図２
0003097015.tif 000002
【実用新案登録請求の範囲】
【請求項１】
主にマスクの保管を行うもので、通気性に優れており、マスクを衛生的に保つことが出来る。
【請求項２】
両端をつまむだけで簡単にマスクの出し入れができる特殊な開け口を使用する。
【考案の詳細な説明】
【０００１】
【考案の属する技術分野】
本考案は、マスクという特殊な日用品を保管、携帯するためのケースに関するものである。
【０００２】
【従来の技術】
マスクを外した際には、そのままポケット又は、鞄に入れるか、購入時の梱包材（ビニールの袋）に入れていた。
【０００３】
【考案が解決しようとする課題】
そのままポケット又は、鞄に入れた場合、埃や汚れが呼吸面に付いてしまい、衛生上悪く、ビニール袋では出し入れが容易でない上、中で蒸れてしまい雑菌等の増殖につながる恐れがある。
【０００４】
【課題を解決する為の手段】
本考案は、素材に湿気を排出できる素材（主に不織物）を使用し、収納物の湿気を外部へ逃がし、外部からの異物の侵入がなく、且つ特殊な開け口により開閉を容易にし、問題を解決している。
【０００５】
【考案の実施の形態】
湿気を排出できる素材（主に不織物）を袋状に縫い、開閉部にプラスチック製の板を入れ、中に巻き込んで取付し、開け口の両端を内側へ押すことにより開き、放すと閉じる。
【０００６】
【実施例】
マスクケース上部開け口を開き、マスクを収納し、ポケット又は鞄へしまい、使用の際は、取り出し、マスク装着後はポケット又は鞄へしまう。
【０００７】
【考案の効果】
マスクケースに入れたマスクは、蒸れることなく又、埃、汚れの付着がないので、衛生を保つ事ができる。又、出し入れが容易なため使い易い。
【図面の簡単な説明】
【図１】本考案のクリーンな簡単出し入れマスクケースの一実施例を示した平面図である。
【図２】本マスクケースの断面図である。
【図３】本マスクケース開け口部開閉板の断面図である。
【符号の説明】
１．マスクケース本体
２．開閉板
【図１】
0003097015.tif 000003
【図２】
0003097015.tif 000004
【図３】
0003097015.tif 000005
【手続補正書】
【提出日】平成15年4月24日(2003.4.24)
【手続補正１】
【補正対象書類名】明細書
【補正対象項目名】全文
【補正方法】変更
【補正の内容】
【考案の詳細な説明】
【実用新案登録請求の範囲】
【請求項１】通気性且つ柔軟性がある布を袋状に縫製し、開閉部にばね状をもって密に閉じる開閉部材を装着してなるマスクケース
【考案の詳細な説明】
【０００１】
【考案の属する技術分野】
本考案は、マスクという特殊な日用品を保管、携帯するためのケースに関するものである。
【０００２】
【従来の技術】
そのままポケット又は、鞄に入れた場合、埃や汚れが呼吸面に付いてしまい、衛生上悪く、ビニール袋では出し入れが容易でない上、中で蒸れてしまい雑菌等の増殖につながる恐れがある。
【０００３】
【考案が解決しようとする課題】
そのままポケット又は、鞄に入れた場合、埃や汚れが呼吸面につ付いてしまい、衛生上悪く、ビニール袋では出し入れが容易でない上、中で蒸れてしまい雑菌等の増殖につながる恐れがある。
【０００４】
【課題を解決する為の手段】
通気性且つ柔軟性がある布を袋状に縫製し、開閉部にばね状をもって密に閉じる開閉部材を装着してなるマスクケースにより、収納物の湿気を外部へ逃がし、外部からの異物の侵入がなく、且つ特殊な開け口により開閉を容易にし、問題を解決している。
【０００５】
【考案の実態の形態】
湿気を排出できる素材（主に不織物）を袋状に縫い、開閉部にプラスチック製の板を入れ、中に巻き込んで取付し、開け口の両端を内側へ押すことにより開き、放すと閉じる。
【０００６】
【実施例】
マスクケース上部開け口の両端を内側へ押し、口を開け、マスクを収納する。
【０００７】
【考案の効果】
通気性且つ柔軟性がある布を袋状に縫製し、開閉部にばね状をもって密に閉じる開閉部材を装着してなるマスクケースとしたので、マスクケースに入れたマスクは、蒸れることなく又、埃、汚れの付着がないので、衛生を保つ事ができる。又、出し入れが容易なため使い易い。
【０００８】
【図面の簡単な説明】
【図１】本考案のマスクケースの一実施例を示した平面図である。
【図２】本マスクケースの断面図である。
【図３】本マスクケース開け口部開閉板の断面図である。
【図４】本マスクケースの開け口を開いた図である。
【符号の説明】
１．マスクケース本体
２．開閉板
【手続補正２】
【補正対象書類名】図面
【補正対象項目名】全図
【補正方法】変更
【補正の内容】
【図１】
0003097015.tif 000006
【図２】
0003097015.tif 000007
【図３】
0003097015.tif 000008
【図４】
0003097015.tif 000009
(57)【要約】【課題】種子と成長促進剤を同梱し外部から遮断しながらも単純な方法で内容物が外部へ出現する点【解決の手段】本考案は，種子と成長促進剤を水溶性のゼラチン製カプセルに梱包収納することで同梱でき，雨又は水を加えることでカプセルが溶解し種子と成長促進剤が外部へ出現する。【選択図】　図１
0003097021.tif 000002
【実用新案登録請求の範囲】
【請求項１】
植物の種子と成長促進剤をゼラチン製カプセルの中に梱包収納することで，長期間，種子を寄生虫や他の動植物からの餌食や腐食から保護し，且つ成長促進剤の変質を防止することを特徴とするカプセル
【考案の詳細な説明】
【０００１】
【考案の属する産業上の分野】
本考案は，種子と成長促進剤を同じカプセルに梱包収納するゼラチン製カプセルに関するものである。
【０００２】
【従来の技術】
種子と成長促進剤を離して保管しなければならなかった。
【０００３】
種蒔時に種子と成長促進剤を別別に蒔かなければならず，手間と時間を余分に費やす必要があった。
【０００４】
【考案が解決しようとする課題】
種子と成長促進剤を同梱し，且つ外部から遮断しながらも単純な方法で種子と成長促進剤が外部へ出現する点
【０００５】
【考案が解決しようとする手段】
本考案は，種子と成長促進剤を水溶性のゼラチン製カプセルに梱包収納するため，蒔いた後の雨または水が浸透することでカプセルが溶解することを特徴とする。
【０００６】
【考案の実施の作用】
ゼラチン製カプセル内に種子と成長促進剤を同梱することを実現した。
【０００７】
【実施例】
乾燥地と近い状況を作り出すため，植木鉢に砂を敷き詰め，その中に本考案の種子と成長促進剤を同梱したゼラチン製カプセルを埋めた。
【０００８】
本考案実験でゼラチン製カプセル内に，芽葱種子と成長促進剤として石灰を梱包収納した。
【０００９】
３０日間の状態を調べたが，カプセル，種子，成長促進剤は何も変化しなかった。
【００１０】
カプセルの入った植木鉢に水を毎日２００ｍＬ補給した。
【００１１】
７日後，芽葱は発芽した。
【００１２】
カプセルに状態を調べるため分解したが，発芽した種子とその周りに石灰の影響と思われる白濁した砂を発見できるに留まり，カプセルは確認できなかった。
【００１３】
【考案の効果】
本考案の種子保護カプセルは，種子と成長促進剤を同梱することにより種蒔と成長促進剤の補給を同時に行える効果が得られたと共に，砂漠化した地域の緑化に大いに役立つ効果がある。
【図面の簡単な説明】
【図１】本考案の種子保護カプセルを示した正面図である。
【図２】本考案の種子保護カプセルを示した背面図である。
【図３】本考案の種子保護カプセルを示した左側面図である。
【図４】本考案の種子保護カプセルを示した右側面図である。
【図５】本考案の種子保護カプセルを示した上面図である。
【図６】本考案の種子保護カプセルを示した底面図である。
【図７】本考案の種子保護カプセルを示した断面図である。
【図１】
0003097021.tif 000003
【図２】
0003097021.tif 000004
【図３】
0003097021.tif 000005
【図４】
0003097021.tif 000006
【図５】
0003097021.tif 000007
【図６】
0003097021.tif 000008
【図７】
0003097021.tif 000009
【手続補正書】
【提出日】平成15年5月22日(2003.5.22)
【手続補正１】
【補正対象書類名】明細書
【補正対象項目名】実用新案登録請求の範囲
【補正方法】変更
【補正の内容】
【実用新案登録請求の範囲】
【請求項１】
植物の種子と成長促進剤を筒状の薬莢・あるいは薬の飲用カプセルのように中空の水溶性ゼラチン製カプセルの中に梱包収納することで、長期間、種子を寄生虫や他の動植物からの餌食や腐食から保護し，且つ成長促進剤の変質を防止することを特徴とするカプセル。
(57)【要約】【課題】花粉症は国民病と言われるほど全国的な規模で広がっているが決定的な予防法、治療法は見つかっていない。【解決手段】マスクのギャザー加工した袋の部分４に遠赤外線放射シート１を表面を内側にして貼付装着することにより、鼻、口周辺、及び鼻孔、口内に遠赤外線が放射され、遠赤外線の殺菌作用で花粉症の症状を緩和し、治癒を働きかける。【選択図】図２
0003097029.tif 000002
【実用新案登録請求の範囲】
【請求項１】
ギャザー加工したマスクの内側のギャザー袋の中に天然遠赤外線を放射するシリカブラックの裏面糊付きシートを貼付装着した花粉症予防マスク
【考案の詳細な説明】
【０００１】
【考案が解決しようとする課題】
花粉症に悩まされる人達の為に予防と症状緩和のための対策が必要とされている。
【０００２】
【課題を解決するための手段】
天然鉱石シリカブラックの放射する遠赤外線は修正波動、治癒波動と呼ばれ、アレルギー、アトピー症状に治癒効果があると言われている。花粉症もアレルギー、アトピーの一種であり、シリカブラックの微粉末シートをマスク内に装着して天然の遠赤外線を放射させる。
【０００３】
【考案の効果】
マスクに付着した花粉による、くしゃみ、鼻水、鼻詰まりなどの症状を和らげ、花粉の体内への侵入を防ぎ花粉症を予防、治癒させる。
【図面の簡単な説明】
【図１】遠赤外線放射シートの立体図である。
【図２】考案したマスクの使用状況を示した立体図である。
【符号の説明】
１　シリカ天然遠赤シートの表面
２　不織布
３　糊付裏面
４　ギャザー加工袋部分
【図１】
0003097029.tif 000003
【図２】
0003097029.tif 000004